(57)【要約】      （修正有）【課題】プレゼンテーションにおいて、端末に記憶されたコンテンツの内容が外部に漏洩することを防ぐ。【解決手段】所定のコンテンツを格納したプロジェクター装置１２０と、プロジェクター装置１２０と通信し、前記コンテンツを取得してこれを使用する情報端末１３０a〜１３０ｄとを備え、プロジェクター装置１２０の状態および／またはプロジェクター装置１２０と情報端末１３０a〜１３０ｄとの協働状態に応じて、情報端末１３０a〜１３０ｄ内のコンテンツの全部または一部の使用を不能にするプロジェクターシステム１００。【選択図】図１
2008033455.tif 000002
【特許請求の範囲】
【請求項１】
所定のコンテンツを格納した親機器と、
前記親機器と通信し、前記コンテンツを取得してこれを使用する端末とを備え、
前記親機器の状態および／または前記親機器と前記端末との協働状態に応じて、前記端末内のコンテンツの全部または一部の使用を不能にするコンテンツ秘匿システム。
【請求項２】
前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用が不能になる請求項１に記載のコンテンツ秘匿システム。
【請求項３】
前記親機器の状態とは、その親機器が前記コンテンツを再生しているかどうかに関する状態であり、
前記プロテクトは、前記再生が行われてる状態にある場合にのみ、解除された状態になる請求項２に記載のコンテンツ秘匿システム。
【請求項４】
前記親機器の状態とは、その親機器の電源が稼働しているかどうかに関する状態であり、
前記プロテクトは、前記稼働が行われてる状態にある場合にのみ、解除された状態になる請求項２に記載のコンテンツ秘匿システム。
【請求項５】
前記親機器と前記端末との協働状態とは、その親機器と端末とが通信可能な状態であり、
前記プロテクトは、前記親機器と端末とが通信可能な状態にある場合にのみ、解除された状態になる請求項２に記載のコンテンツ秘匿システム。
【請求項６】
前記親機器と前記端末との協働状態とは、その親機器が配置されている所定のエリアに前記端末が配置されている状態であり、
前記プロテクトは、前記端末が前記エリア内に配置されている状態にある場合にのみ、解除された状態になる請求項２に記載のコンテンツ秘匿システム。
【請求項７】
前記所定のエリアと外部との境界に設けられた、前記端末が前記エリア内にあるかエリア外にあるかを判定するエリア内外判定手段を更に備え、
前記エリア内外判定手段が前記端末がエリア内と判定するした場合のみ、前記プロテクトは、前記端末が前記エリア内に配置されている状態にある場合にのみ、解除された状態になる請求項２に記載のコンテンツ秘匿システム。
【請求項８】
前記使用とは、前記コンテンツの再生である請求項２に記載のコンテンツ秘匿システム。
【請求項９】
前記プロテクトが解除されない状態が所定時間経過した場合、前記プロテクトは解除不可能になる請求項２に記載のコンテンツ秘匿システム。
【請求項１０】
前記プロテクトが解除されない状態が所定時間経過した場合、前記コンテンツのデータは前記端末から消去される請求項２に記載のコンテンツ秘匿システム。
【請求項１１】
前記端末は、その端末を制御して前記コンテンツのプロテクトを解除するプロテクト解除手段を有する請求項２から１０のいずれかに記載のコンテンツ秘匿システム。
【請求項１２】
前記プロテクト解除手段は、前記端末と分離可能な請求項１１に記載のコンテンツ秘匿システム。
【請求項１３】
前記端末は、その端末を制御して前記コンテンツの使用を不能にする使用不能化手段を有する請求項１に記載のコンテンツ秘匿システム。
【請求項１４】
前記使用不能化手段は、前記端末と分離可能な請求項１３に記載のコンテンツ秘匿システム。
【請求項１５】
所定のコンテンツを格納した親機器と通信し、前記コンテンツを取得してこれを使用する端末であって、
前記親機器の状態および／または前記親機器と前記端末との協働状態に応じて、前記端末内のコンテンツの全部または一部の使用を不能にする端末。
【請求項１６】
前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用が不能になる請求項１５に記載の端末。
【請求項１７】
前記親機器の状態とは、その親機器が前記コンテンツを再生しているかどうかに関する状態であり、
前記プロテクトは、前記再生が行われてる状態にある場合にのみ、解除された状態になる請求項１５に記載の端末。
【請求項１８】
前記親機器の状態とは、その親機器の電源が稼働しているかどうかに関する状態であり、
前記プロテクトは、前記稼働が行われてる状態にある場合にのみ、解除された状態になる請求項１５に記載の端末。
【請求項１９】
前記親機器と前記端末との協働状態とは、その親機器と端末とが通信可能な状態であり、
前記プロテクトは、前記親機器と端末とが通信可能な状態にある場合にのみ、解除された状態になる請求項１５に記載の端末。
【請求項２０】
前記親機器と前記端末との協働状態とは、その親機器が配置されている所定のエリアに前記端末が配置されている状態であり、
前記プロテクトは、前記端末が前記エリア内に配置されている状態にある場合にのみ、解除された状態になる請求項１５に記載の端末。
【請求項２１】
前記所定のエリアと外部との境界に設けられた、前記端末が前記エリア内にあるかエリア外にあるかを判定するエリア内外判定手段が前記端末がエリア内と判定するした場合のみ、前記プロテクトは解除された状態になる請求項２０に記載の端末。
【請求項２２】
前記使用とは、前記コンテンツの再生である請求項１５に記載の端末。
【請求項２３】
前記プロテクトが解除されない状態が所定時間経過した場合、前記プロテクトは解除不可能になる請求項１６に記載の端末。
【請求項２４】
前記プロテクトが解除されない状態が所定時間経過した場合、前記コンテンツのデータは前記端末から消去される請求項１６に記載の端末。
【請求項２５】
前記コンテンツのプロテクトを解除するプロテクト解除手段を有する請求項１６から２４のいずれかに記載の端末。
【請求項２６】
前記プロテクト解除手段は、前記端末と分離可能な請求項２５に記載の端末。
【請求項２７】
前記コンテンツの使用を不能にする使用不能化手段を有する請求項１５に記載の端末。
【請求項２８】
前記使用不能化手段は、前記端末と分離可能な請求項２７に記載の端末。
【請求項２９】
所定のコンテンツを格納した親機器と、前記親機器と通信し、前記コンテンツを取得してこれを使用する端末とを用い、
前記親機器の状態および／または前記親機器と前記端末との協働状態に応じて、前記端末内のコンテンツの全部または一部の使用を不能にする工程を備えたコンテンツ秘匿方法。
【請求項３０】
前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用を不能にする工程を備えた請求項２９に記載のコンテンツ秘匿方法。
【請求項３１】
請求項２９に記載のコンテンツ秘匿方法の、前記親機器の状態および／または前記親機器と前記端末との協働状態に応じて、前記端末内のコンテンツの全部または一部の使用を不能にする工程をコンピュータに実行させるためのプログラム。
【請求項３２】
請求項３０に記載のコンテンツ秘匿方法の、前記親機器の状態および／または前記親機器と前記端末との協働状態に応じて、前記プロテクトが解除され前記使用が可能になり、前記プロテクトが解除されない場合は前記使用を不能にする工程をコンピュータに実行させるためのプログラム。
【請求項３３】
請求項３１または３２に記載のプログラムを記録した記録媒体であって、コンピュータにより処理可能な記録媒体。
【発明の詳細な説明】
【技術分野】
【０００１】
本発明は、プレゼンテーション等に用いられるコンテンツを秘匿するためのコンテンツ秘匿システム、端末、コンテンツ秘匿方法等に関する。
【背景技術】
【０００２】
従来より、会議や講演会においては、映像を利用したプレゼンテーションが広く行われている。
【０００３】
このようなプレゼンテーションは、例えば会議室のように大人数を収容可能な部屋に配置される、映像を表示するためのスクリーンと、スクリーンに映像を投影するためのプロジェクターと、プロジェクターが投影する映像データ等のコンテンツを記憶したパーソナルコンピュータ（ＰＣ）とを用いて行われ、プレゼンターによるＰＣの制御等によって、プロジェクターに投影する映像を切り替えることにより、目的に応じて聴衆に様々なデータを提示することができる。
【０００４】
ところで、上記のプレゼンテーションには、スクリーンから遠く離れている聴衆は映像を目視できず、プレゼンテーションされているコンテンツの内容を十分に把握できない恐れがあったり、情報の伝達が一方通行になってしまう等の欠点があった。
【０００５】
これに対し、近年では、聴衆用に小型ディスプレイを搭載した情報端末を用意し、この情報端末にプロジェクターが投影するものと同一の映像を表示させるようにする技術が提案されている（例えば、特許文献１を参照）。
【０００６】
図１１に、そのようなプロジェクターシステムの概念図を示す。図１１に示すように、プロジェクターシステム８００は、スクリーン８１０と、プロジェクター８２０と、通信機能を有するパーソナルコンピュータ（ＰＣ）８３０と、ＰＣ８３０と通信する、小型スクリーン８４１ａ〜８４１ｄをそれぞれ備えた複数の情報端末８４０ａ〜８４０ｄとから構成される。情報端末８４０ａ〜８４０ｄは、専用のものを用いてもよいし、携帯電話や通信機能を有するＰＤＡを用いてもよい。
【０００７】
プロジェクターシステム８００は、ＰＣ８３０が表示するデータを、情報端末８４０ａ〜８４０ｄに送信し、これを受信した情報端末８４０ａ〜８４０ｄは、小型スクリーン８４１ａ〜８４１ｄに表示する。
【０００８】
これにより、聴衆は、スクリーン８１０に投影された映像に併せて、自らが有する情報端末の小型スクリーンに表示される映像をも見ることができるので、スクリーン８１０から遠く離れている聴衆も、プレゼンテーションされているコンテンツの内容を十分に把握できる。さらに、情報端末８４０ａ〜８４０ｄとＰＣ８３０との間に双方向通信機能を持たせることにより、プロジェクター８２により投影されるコンテンツを情報端末によって加工することができたり、情報端末側で生成したデータをコンテンツに付加したりすることができ、プレゼンターと聴衆との間の意見交換を表示されるコンテンツに即時に反映する、新しい動的なプレゼンテーションを行うことができる。
【特許文献１】特開２００４−２６５２３５号公報
【発明の開示】
【発明が解決しようとする課題】
【０００９】
しかしながら、このようなプロジェクターシステム８００においては、以下のような課題があった。
【００１０】
社内会議など、プレゼンテーションの種類によっては、その内容が外部に漏れないことが求められる場合が往々にある。そのためプロジェクター８２０により表示されるＰＣ８３０内のコンテンツも秘匿しておく必要がある。
【００１１】
ところが上記のプロジェクターシステム８００のように、ＰＣ８３０と情報端末８４０ａ〜８４０ｄとが同一のコンテンツを共有する場合、情報端末８４０ａ〜８４０ｄにもＰＣ８３０と同一のコンテンツの少なくとも一部が記憶される。
【００１２】
したがって、ＰＣ８３０のコンテンツの秘匿にはこれら情報端末内のデータも管理しなければならないが、既に述べたように、情報端末８４０ａ〜８４０ｄとしては専用機器を用いても、携帯電話のような既製の端末を応用することも可能であり、こうした端末の外部への持ち出しや、端末内のデータの管理を徹底することは困難になってくる。
【００１３】
このように、プレゼンテーションが終了し、ＰＣ８３０の使用を止めた後も、情報端末８４０ａ〜８４０ｄ内にＰＣ８３０に含まれていたコンテンツが記録されていないかどうかを個々に調べることは困難であり、情報端末に記憶されたＰＣのコンテンツの内容が外部に漏洩することを防ぐ対策は、十分に考慮されているとはいえなかった。
【００１４】
本発明は上記の課題に鑑みてなされたもので、端末に記憶されたコンテンツの内容が外部に漏洩することを防ぐことのできるコンテンツ秘匿システム等を提供することを目的とする。
【課題を解決するための手段】
【００１５】
上記の目的を達成するために、第１の本発明は、所定のコンテンツを格納した親機器と、
前記親機器と通信し、前記コンテンツを取得してこれを使用する端末とを備え、
前記親機器の状態および／または前記親機器と前記端末との協働状態に応じて、前記端末内のコンテンツの全部または一部の使用を不能にするコンテンツ秘匿システムである。
【００１６】
また、第２の本発明は、前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用が不能になる第１の本発明のコンテンツ秘匿システムである。
【００１７】
また、第３の本発明は、前記親機器の状態とは、その親機器が前記コンテンツを再生しているかどうかに関する状態であり、
前記プロテクトは、前記再生が行われてる状態にある場合にのみ、解除された状態になる第２の本発明のコンテンツ秘匿システムである。
【００１８】
また、第４の本発明は、前記親機器の状態とは、その親機器の電源が稼働しているかどうかに関する状態であり、
前記プロテクトは、前記稼働が行われてる状態にある場合にのみ、解除された状態になる第２の本発明のコンテンツ秘匿システムである。
【００１９】
また、第５の本発明は、前記親機器と前記端末との協働状態とは、その親機器と端末とが通信可能な状態であり、
前記プロテクトは、前記親機器と端末とが通信可能な状態にある場合にのみ、解除された状態になる第２の本発明のコンテンツ秘匿システムである。
【００２０】
また、第６の本発明は、前記親機器と前記端末との協働状態とは、その親機器が配置されている所定のエリアに前記端末が配置されている状態であり、
前記プロテクトは、前記端末が前記エリア内に配置されている状態にある場合にのみ、解除された状態になる第２の本発明のコンテンツ秘匿システムである。
【００２１】
また、第７の本発明は、前記所定のエリアと外部との境界に設けられた、前記端末が前記エリア内にあるかエリア外にあるかを判定するエリア内外判定手段を更に備え、
前記エリア内外判定手段が前記端末がエリア内と判定するした場合のみ、前記プロテクトは、前記端末が前記エリア内に配置されている状態にある場合にのみ、解除された状態になる第２の本発明のコンテンツ秘匿システムである。
【００２２】
また、第８の本発明は、前記使用とは、前記コンテンツの再生である第２の本発明のコンテンツ秘匿システムである。
【００２３】
また、第９の本発明は、前記プロテクトが解除されない状態が所定時間経過した場合、前記プロテクトは解除不可能になる第２の本発明のコンテンツ秘匿システムである。
【００２４】
また、第１０の本発明は、前記プロテクトが解除されない状態が所定時間経過した場合、前記コンテンツのデータは前記端末から消去される第２の本発明のコンテンツ秘匿システムである。  
【００２５】
また、第１１の本発明は、前記端末は、その端末を制御して前記コンテンツのプロテクトを解除するプロテクト解除手段を有する第２から第１０のいずれかの本発明のコンテンツ秘匿システムである。
【００２６】
また、第１２の本発明は、前記プロテクト解除手段は、前記端末と分離可能な第１１の本発明のコンテンツ秘匿システムである。  
【００２７】
また、第１３の本発明は、前記端末は、その端末を制御して前記コンテンツの使用を不能にする使用不能化手段を有する第１の本発明のコンテンツ秘匿システムである。  
【００２８】
また、第１４の本発明は、前記使用不能化手段は、前記端末と分離可能な第１３の本発明のコンテンツ秘匿システムである。  
【００２９】
また、第１５の本発明は、所定のコンテンツを格納した親機器と通信し、前記コンテンツを取得してこれを使用する端末であって、
前記親機器の状態および／または前記親機器と前記端末との協働状態に応じて、前記端末内のコンテンツの全部または一部の使用を不能にする端末である。  
【００３０】
また、第１６の本発明は、前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用が不能になる第１５の本発明の端末である。  
【００３１】
また、第１７の本発明は、前記親機器の状態とは、その親機器が前記コンテンツを再生しているかどうかに関する状態であり、
前記プロテクトは、前記再生が行われてる状態にある場合にのみ、解除された状態になる第１５の本発明の端末である。  
【００３２】
また、第１８の本発明は、前記親機器の状態とは、その親機器の電源が稼働しているかどうかに関する状態であり、
前記プロテクトは、前記稼働が行われてる状態にある場合にのみ、解除された状態になる第１５の本発明の端末である。  
【００３３】
また、第１９の本発明は、前記親機器と前記端末との協働状態とは、その親機器と端末とが通信可能な状態であり、
前記プロテクトは、前記親機器と端末とが通信可能な状態にある場合にのみ、解除された状態になる第１５の本発明の端末である。  
【００３４】
また、第２０の本発明は、前記親機器と前記端末との協働状態とは、その親機器が配置されている所定のエリアに前記端末が配置されている状態であり、
前記プロテクトは、前記端末が前記エリア内に配置されている状態にある場合にのみ、解除された状態になる第１５の本発明の端末である。  
【００３５】
また、第２１の本発明は、前記所定のエリアと外部との境界に設けられた、前記端末が前記エリア内にあるかエリア外にあるかを判定するエリア内外判定手段が前記端末がエリア内と判定するした場合のみ、前記プロテクトは解除された状態になる第２０の本発明の端末である。  
【００３６】
また、第２２の本発明は、前記使用とは、前記コンテンツの再生である第１５の本発明の端末である。  
【００３７】
また、第２３の本発明は、前記プロテクトが解除されない状態が所定時間経過した場合、前記プロテクトは解除不可能になる第１６の本発明の端末である。  
【００３８】
また、第２４の本発明は、前記プロテクトが解除されない状態が所定時間経過した場合、前記コンテンツのデータは前記端末から消去される第１６の本発明の端末である。  
【００３９】
また、第２５の本発明は、前記コンテンツのプロテクトを解除するプロテクト解除手段を有する第１６から第２４のいずれかの本発明の端末である。  
【００４０】
また、第２６の本発明は、前記プロテクト解除手段は、前記端末と分離可能な第２５の本発明の端末である。  
【００４１】
また、第２７の本発明は、前記コンテンツの使用を不能にする使用不能化手段を有する第１５の本発明の端末である。  
【００４２】
また、第２８の本発明は、前記使用不能化手段は、前記端末と分離可能な第２７の本発明の端末である。  
【００４３】
また、第２９の本発明は、所定のコンテンツを格納した親機器と、前記親機器と通信し、前記コンテンツを取得してこれを使用する端末とを用い、
前記親機器の状態および／または前記親機器と前記端末との協働状態に応じて、前記端末内のコンテンツの全部または一部の使用を不能にする工程を備えたコンテンツ秘匿方法である。  
【００４４】
また、第３０の本発明は、前記コンテンツの全部または一部には、前記使用に対するプロテクトが施されており、
前記親機器の状態および／または前記親機器と前記端末との協働状態に応じて、前記プロテクトが解除され前記使用が可能になり、前記プロテクトが解除されない場合は前記使用を不能にする工程を備えた第２９の本発明のコンテンツ秘匿方法である。  
【００４５】
また、第３１の本発明は、第２９の本発明のコンテンツ秘匿方法の、前記親機器の状態および／または前記親機器と前記端末との協働状態に応じて、前記端末内のコンテンツの全部または一部の使用を不能にする工程をコンピュータに実行させるためのプログラムである。  
【００４６】
また、第３２の本発明は、第３０の本発明のコンテンツ秘匿方法の、前記親機器の状態および／または前記親機器と前記端末との協働状態に応じて、前記プロテクトが解除され前記使用が可能になり、前記プロテクトが解除されない場合は前記使用を不能にする工程をコンピュータに実行させるためのプログラムである。  
【００４７】
また、第３３の本発明は、第３１または第３２の本発明のプログラムを記録した記録媒体であって、コンピュータにより処理可能な記録媒体である。
【発明の効果】
【００４８】
本発明によれば、端末に記憶されたコンテンツの内容が外部に漏洩することを防ぐことができる。
【発明を実施するための最良の形態】
【００４９】
以下、本発明を実施するための最良の形態を、図面を参照して説明する。
【００５０】
（実施の形態１）
図１は、本発明の実施の形態１であるプロジェクターシステムの模式的構成図である。
【００５１】
図１に示すように、プロジェクターシステム１００は、スクリーン１１０と、通信機能を有するプロジェクター装置１２０と、プロジェクター装置１２０と通信する、小型スクリーン１３１ａ〜１３１ｄをそれぞれ備えた複数の情報端末１３０ａ〜１３０ｄとから構成される。なお、プロジェクター装置１２０と情報端末１３０ａ〜１３０ｄとの通信は、有線、無線のいずれでもよく、無線の場合は赤外線、電波等々を用いればよい。
【００５２】
次に、図２はプロジェクター装置１２０の構成図である。図２に示すように、プロジェクター装置１２０において、データメモリＡ１２１は、スクリーン１１０に表示するコンテンツや情報端末１３０ａ〜１３０ｄに対するコマンドを記憶する手段、送受信部Ａ１２２は情報端末１３０ａ〜１３０ｄと通信する手段、表示データ投影部１２３はデータメモリＡ内のコンテンツを表示映像としてスクリーン１１０へ投影する手段、コンテンツ／コマンド分離部Ａ１２４は、送受信部Ａ１２２が受信したデータから、表示データ投影部１２３にて表示するためのコンテンツと、コンテンツ配信部１２６にて用いられるコマンドとを分離する手段、電源１２５はプロジェクター装置１２０の各部に電力を供給する手段、コンテンツ配信部１２６は、送受信部Ａ１２２、電源１２５の状態に基づきデータメモリＡ１２１内のコンテンツを送受信部Ａ１２２により配信させる手段、制御部Ａ１２７は上述した各部の動作を制御する手段である。
【００５３】
ここで、データメモリＡ１２１に記憶されたコンテンツについて説明を行う。図４は、コンテンツの模式的構成図である。図４に示すように、コンテンツ２００は自由に再生、改変可能なデータからなるアウトラインデータ２１０、プロテクトが施されており、これを解除しない限りプロジェクター装置１２０以外の機器による再生や改変が不可能な詳細データ２２０、およびコンテンツ２００に含まれるアウトラインデータ２１０、詳細データ２２０に関する情報であるコンテンツ情報２３０から構成される。
【００５４】
次に、図３は情報端末の構成図である。図３に示すように、情報端末１３０において、データメモリＢ１３２は、送受信部Ｂ１３３を介してプロジェクター装置１２０から取得したコンテンツやコマンド他のデータを記憶する手段、送受信部Ｂ１３３はプロジェクター装置１２０と通信する手段、表示部１３１は図１の小型スクリーン１３１ａ〜１３１ｄに対応し、データメモリＡ内のコンテンツを映像として表示する手段、コンテンツ／コマンド分離部Ｂ１３４は、送受信部Ｂ１３３が受信したデータから、表示部１３１にて表示するためのコンテンツと、閲覧許可判定部１３６にて用いられるコマンドとを分離する手段、タイマー１３５は時間を計測する手段、閲覧許可判定部１３６は、送受信部Ｂ１３３が受信したコマンド、タイマー１３５の状態に基づきデータメモリＢ１３２内のコンテンツを表示してよいかどうかを判定する手段、制御部Ｂ１３７は、閲覧許可判定部１３６の判定に基づく動作や、ユーザからの制御入力に基づき上述した各部の動作を制御する手段である。ただし、制御部Ｂ１３７は、ユーザからの各種制御入力を受け付ける、図示しないインタフェースを有するものである。
【００５５】
なお、上記の構成において、プロジェクターシステム１００は本発明のコンテンツ秘匿システムの一例であり、プロジェクター装置１２０は本発明の親機器の一例であり、情報端末１３０は本発明の端末の一例であり、閲覧許可判定部１３６は本発明のプロテクト解除手段、使用不能化手段の一例である。
【００５６】
以上のような構成を有する、本発明の実施の形態１であるプロジェクターシステムの動作を図５のフローチャートを参照して説明するとともに、これにより、本発明の端末、本発明のコンテンツ秘匿方法の一実施の形態について説明を行う。なお、図中破線はプロジェクター装置１２０と情報端末１３０との間の情報、コマンドの授受を示す。
【００５７】
はじめに、プレゼンテーションが開始され、プロジェクター装置１２０がスクリーン１１０にデータメモリＡ１２１内のコンテンツを投影する（Ｓ１）。
【００５８】
次に、スクリーン１１０に投影されたコンテンツを直接見ている情報端末１３０のユーザーは、プロジェクター装置１２０に対してコンテンツ情報を要求するため、制御部Ｂ１３７に制御入力を行う。制御部Ｂ１３７は、情報端末１３０を他の情報端末と識別する識別子を付したコンテンツ情報要求コマンドを生成し、コンテンツ／コマンド分離部Ｂ１３４を介して送受信部Ｂ１３３からプロジェクター装置１２０へ出力する（Ｓ２）。コンテンツ要求コマンドを送受信部Ａ１２２を介して取得した（Ｓ３）プロジェクター装置１２０は、コンテンツ２００からコンテンツ情報２３０だけを切り離して、これを受信した識別子を有する情報端末１３０へ出力する（Ｓ４）。なお、他の情報端末は、受信した識別子と自らに設定された識別子とが異なるためこのコンテンツ情報を処理することはできない。
【００５９】
次に、コンテンツ情報２３０を受信した（Ｓ５）情報端末１３０においては、閲覧許可判定部１３６がそのコンテンツ情報２３０を参照して、コンテンツ２００にアウトラインデータ２１０が含まれているかどうかを判定し（Ｓ６）、含まれている場合は、自動的にこれを要求するアウトラインデータ要求コマンドを生成し、コンテンツ／コマンド分離部Ｂ１３４を介して送受信部Ｂ１３３からプロジェクター装置１２０へ出力する（Ｓ７）。プロジェクター装置１２０では、アウトラインデータ要求コマンドを受信する（Ｓ８）と、これに応じてコンテンツ配信部１２６がこれに応じて制御部Ａ１２７を制御し、制御部Ａ１２７はデータメモリＡ１２１からアウトラインデータ２１０を読み出して、コンテンツ／コマンド分離部Ａ１２４、送受信部Ａ１２２を介して情報端末１３０へ配信する（Ｓ９）。アウトラインデータ２１０を受信した情報端末１３０は、表示部１３１にこれを表示する（Ｓ１０）。
【００６０】
さらに、制御部Ｂ１３７はアウトラインデータ２１０の受信を確認すると、コンテンツ２００に詳細データ２２０が含まれているかどうかを判定し（Ｓ１１）、含まれていない場合は詳細データ２２０の表示動作を完了し、アウトラインデータ２１０の表示を継続する（Ｓ１２）。
【００６１】
一方、詳細データ２２０が含まれている場合は、これを要求する詳細データ要求コマンドを生成し、プロジェクター装置１２０へ出力する（Ｓ１３）。
【００６２】
プロジェクター装置１２０は、詳細データ要求コマンドを取得する（Ｓ１４）と、制御部Ａ１２７がデータメモリＡ１２１から詳細データ２２０を読み出して、コンテンツ／コマンド分離部Ａ１２４、送受信部Ａ１２２を介して情報端末１３０へ配信する（Ｓ１５）。
【００６３】
情報端末１３０は、詳細データ２２０を受信すると（Ｓ１６）、これを一端データメモリＢ１３２に格納するとともに、閲覧許可判定部１３６が、当該詳細データが閲覧可能な状態であるかどうかを判定する（Ｓ１７）。
【００６４】
ここでＳ１７の閲覧許可判定部１３６の判定動作について説明を行う。
【００６５】
閲覧許可判定部１３６は、プロジェクター装置１２０と通信を行い、制御部Ａ１２７の動作状態を参照して、プロジェクター装置１２０が現在コンテンツを再生しているかどうかを判断する。プロジェクター装置１２０が現在コンテンツを再生していると判断した場合は、閲覧可能な状態にあると判定する。一方、プロジェクター装置１２０が現在コンテンツを再生していないと判断した場合は、閲覧可能な状態ではないと判定する。
【００６６】
閲覧許可判定部１３６は、コンテンツ閲覧可能な状態と判定した場合、詳細データ２２０のプロテクトを解除する。プロテクトが解除された詳細データ２２０は制御部Ｂ１３７の動作により表示可能な状態になり、ユーザからの制御入力により表示部１３１に適宜表示される（Ｓ１８）。なお、情報端末１３０が詳細データ２２０を表示中としている場合であっても、プロジェクター装置１２０が当該詳細データの再生を停止している場合（アウトラインデータの表示を行うようになった場合や、再生そのものが停止している場合）には、閲覧許可判定部１３６は解除されたプロテクトを復元して、表示部１３１に詳細データを表示できないようにする。このとき、閲覧許可判定部１３６はコンテンツ閲覧ができない理由のメッセージを生成し、表示部１３１に表示させるようにしてもよい。
【００６７】
一方、閲覧許可判定部１３６が、コンテンツ閲覧可能でない状態と判定した場合、詳細データ２２０のプロテクトは解除されず、ユーザからの制御入力によっても表示することはできない（Ｓ１９）。このときも、閲覧許可判定部１３６はコンテンツ閲覧ができない旨のメッセージや、表示不能であることを示す記号を表示部１３１に表示させるようにしてもよい。
【００６８】
プロジェクター装置１２０は、その利用者の制御に基づき、コンテンツ表示の動作を継続する（Ｓ２０）。
【００６９】
ここで図６に、情報端末１３０がコンテンツ閲覧可能な状態にある場合と、閲覧不可能である場合との比較例を示す。図６（ａ）〜（ｆ）はプロジェクター装置１２０がスクリーン１１０に投射している画像コンテンツであり、図６（ａ）（ｃ）（ｄ）（ｅ）はアウトラインデータ２１０の表示例、図６（ｂ）（ｆ）は詳細データの表示例を示す。また図６（ア）〜（カ）は、プロジェクター装置１２０の画像コンテンツ表示に一対一対応して情報端末１３０の画面に表示される画像コンテンツであり、図６（ア）（ウ）（エ）（オ）はアウトラインデータ２１０の表示例、図６（イ）（カ）は詳細データの表示例を示す。
【００７０】
図に示すように、プロジェクター装置１２０はコンテンツを構成する全ての画像を表示するが、情報端末１３０においては、上記Ｓ１９においてコンテンツ閲覧不能な状態となると、図６（イ）（カ）に示すように詳細データの画像は表示されず、その代わりに表示不能を示す×印が表示される。また、上記Ｓ１８ににおいてコンテンツ閲覧可能な状態となると、図６（イ）（カ）の表示はそれぞれ図６（ｂ）（ｆ）の詳細データの画像に置き換わり、プロジェクター装置１２０と情報端末１３０とで同一のコンテンツが表示される。
【００７１】
以上のように、本実施の形態によれば、プロジェクター装置１２０から情報端末１３０へ配信するコンテンツを、アウトラインデータと詳細データとに二分し、高い秘匿性が要求される詳細データについては、情報端末に単に記憶された状態ではプロテクトがかかっており、プロジェクター装置がそれを再生している間にのみ、情報端末１３０でも表示可能となるよう制御することにより、その内容が外部に漏洩することを防ぐことができる。
【００７２】
（実施の形態２）
次に、実施の形態２として、Ｓ１７の閲覧許可判定部１３６の判定動作の他の一例について説明を行う。なお、他の動作は実施の形態１と同様なので、詳細な説明は省略する。
【００７３】
閲覧許可判定部１３６は、プロジェクター装置１２０と通信を行い、プロジェクター装置１２０の電源１２５が稼働しているかどうかを判断する。
【００７４】
ここで電源１２５の状態としては、（Ａ）電源１２５が外部からの通電を受けている、いわゆる主電源がオンになっており、かつプロジェクター装置１２０内の各部への通電も行われている状態、（Ｂ）電源１２５が外部からの通電を遮断した、いわゆる主電源がオフになった状態があり、上記（Ａ）の状態を「稼働している」状態、（Ｂ）の状態を「稼働していない」状態と定義する。（Ａ）の状態であれば、プロジェクター装置１２０は情報端末１３０と通信ができ、（Ｂ）の状態であれば、プロジェクター装置１２０は情報端末１３０と通信ができないため、閲覧許可判定部１３６は、通信状態により間接的にプロジェクター装置１２０の稼働状態を判断することができる。なお、上記（Ａ）（Ｂ）の他に、（Ｃ）主電源はオンになっているがプロジェクター装置１２０内の各部への通電は行われていない、いわゆるスタンバイ状態があるが、これについては、利用者側の使用上の都合で「稼働している」「稼働していない」のいずれかの状態に適宜設定すればよい。
【００７５】
閲覧許可判定部１３６は、電源１２５が稼働していると判断した場合は、閲覧可能な状態にあると判定する。一方、電源１２５が稼働していないと判断した場合は、閲覧可能な状態ではないと判定する。これにより、プレゼンテーションが終了した時に、プロジェクター装置１２０の電源の状態の変化をトリガーとして、情報端末１３０のコンテンツを閲覧不能にして、情報の秘匿性を保持することができる。
【００７６】
（実施の形態３）
次に、実施の形態３として、Ｓ１７の閲覧許可判定部１３６の判定動作の他の一例について説明を行う。
【００７７】
閲覧許可判定部１３６は、送受信部Ｂ１３３の通信状態を参照し、プロジェクター装置１２０と情報端末１３０とが、それらの協働状態として通信状態にあるかどうかを判断する。判断には、上述した各種要求コマンドを用いてもよいし、専用の通信確認コマンドを用いてもよい。送受信部Ｂ１３３が、これら要求コマンドに対する応答を所定の時間内に受信できなかった場合は、閲覧許可判定部１３６は、プロジェクター装置１２０と情報端末１３０とが通信状態ではなくなったと判断する。
【００７８】
なお、ここで通信状態の有無が判断される状況の一例は、情報端末１３０がプロジェクター装置１２０から遠く離れてしまったり、コンクリート壁などでプロジェクター装置１２０から遮蔽された場所に配置された場合が挙げられる。
【００７９】
通信状態にあると判断した場合は、閲覧可能な状態にあると判定する。また、通信状態にないと判断した場合は、閲覧可能な状態ではないと判定する。これにより、プレゼンテーションの実施中であって、プロジェクター装置１２０が稼働している場合であっても、情報端末１３０をプロジェクター装置１２０と通信不可能な距離以上の場所や、プロジェクター装置１２０の配置場所から目視できないような場所に持ち出した場合、情報端末１３０のコンテンツは閲覧不能になるので、情報端末１３０の管理を高めることができ、情報の秘匿性を保持することができる。特に送受信手段Ａ１２２、Ｂ１３３が赤外線通信を行っている場合に有用である。
【００８０】
（実施の形態４）
図７は、本発明の実施の形態４のプロジェクターシステムの模式的構成図である。図に示すように、本実施の形態のプロジェクターシステムは、建物３００内の２つのプレゼンテーション室Ａ３１０、Ｂ３２０内にそれぞれ設置されたプロジェクター装置Ａ３３０、Ｂ３４０、プロジェクター装置Ａ３３０、Ｂ３４０にそれぞれ対応したスクリーンＡ３５０、Ｂ３６０、情報端末３７０ａ〜３７０ｉ、およびプレゼンテーション室Ａ３１０、Ｂ３２０の出入口Ａ３８０、Ｂ３９０にそれぞれ設置された入出力管理ゲートＡ４００、Ｂ５００とを備えている。
【００８１】
また、図８は、入出力管理ゲートＡ４００の構成図である。図に示すように、入出力管理ゲートＡ４００において、センサ部４１０は、情報端末３７０ａ〜３７０ｉが入室するか退室するかの挙動を検出する手段、送受信部Ｃ４２０は、情報端末３７０ａ〜３７０ｉと通信する手段、解除鍵生成部４３０は、送受信部Ｃから取得された情報端末３７０ａ〜３７０ｉの識別子、計時部４４０が発生させた時刻情報、およびデータメモリＣ４５０に格納されたコンテンツに関する情報からコンテンツの詳細データのプロテクトを解除する解除鍵を生成する手段、計時部４４０は解除鍵生成部４３０が用いる時刻情報を発生させる手段、データメモリＣ４５０はプロジェクター装置Ａ３３０の利用者の設定によって、プロジェクター装置Ａ３３０のコンテンツ情報２３０が入力、格納される手段である。また、制御部Ｃ４６０は、センサ部４１０の検出結果に応じて、送受信部Ｃ４２０、解除鍵生成部４３０を動作させる手段である。なお、入出力管理ゲートＢ５００もこれと同様の構成を有する。また、プレゼンテーション室Ａ３１０、Ｂ３２０は本発明のエリアの一例であり、入出力管理ゲートＡ４００、Ｂ５００は、本発明のエリア内外判定手段の一例である。
【００８２】
情報端末３７０ａ〜３７０ｉの利用者はプレゼンテーション室Ａ３１０、Ｂ３２０を自由に往来でき、情報端末３７０ａ〜３７０ｉには、プロジェクター装置Ａ３３０、Ｂ３４０いずれのコンテンツも表示させることができる。なお、プロジェクター装置Ａ３３０、Ｂ３４０、情報端末３７０ａ〜３７０ｉの構成は実施の形態１の図２，３に示すものと同様なので、詳細な説明は省略する。
【００８３】
以上のような構成を有する本実施の形態について、プレゼンテーション室Ａ３１０内の情報端末３７０ａとプロジェクター装置Ａ３３０、および入出力管理ゲートＡ４００の動作を、実施の形態１におけるＳ１７の閲覧許可判定部１３６の判定動作を中心に説明を行う。
【００８４】
プレゼンテーションが開始され、プロジェクター装置Ａ３３０がスクリーン１１０にデータメモリＡ１２１内のコンテンツを投影してから、これを取得した情報端末３７０ａの閲覧許可判定部１３６が、当該詳細データが閲覧可能な状態であるかどうかを判定するまでの動作は、実施の形態１と同様である（Ｓ１〜Ｓ１６）が、さらに動作Ｓ１の前、情報端末３７０ａの利用者がプレゼンテーション室Ａ３１０に入室するとき、センサ部４１０は、情報端末３７０ａがプレゼンテーション室Ａ３１０に入室したことを検出する。これは、プロジェクター装置Ａ３３０と情報端末３７０ａの協働状態との一例として、プロジェクター装置Ａ３３０が配置されているプレゼンテーション室Ａ３１０に情報端末３７０ａが配置された状態を検出していることになる。なお、入室および後述する退出の検出方法は、利用者の進行方向に沿ってアレイ状に並べられたセンサ等の周知技術を用いればよいので詳細な説明は省略する。
【００８５】
センサ部４１０が入室を検出すると、これに応じて制御部Ｃ４６０は送受信部Ｃ４２０を起動させ、情報端末３７０ａに対し、実施の形態１のＳ２にて用いられるものと同一の識別子を要求する要求コマンドを送信させる。
【００８６】
この要求コマンドに応じて情報端末３７０ａが識別子を送信し、送受信部Ｃ４２０がこれを取得すると、解除鍵生成部４３０は、計時部４４０で発生させた、現在時刻に基づく時刻情報、データメモリＣに格納されたコンテンツ情報２３０、および取得された識別子に基づいて詳細データ２２０のプロテクトを解除する解除鍵を生成する。このとき、各解除鍵は、データメモリＣに格納されたデータ各プロジェクター装置のコンテンツに対して互いに異なるように生成される。
【００８７】
生成された解除鍵は送受信部Ｃ４２０から情報端末３７０ａに出力され、情報端末３７０ａにおいては閲覧許可判定部１３６が利用できるようにデータメモリＢ１３２に記憶される。
【００８８】
次に、Ｓ１７における閲覧許可判定部１３６の判定動作は、上記解除鍵を用いて以下のように行われる。すなわち、閲覧許可判定部１３６は、データメモリＢ１３２に解除鍵が記憶されていれば、詳細データ２２０を閲覧可能な状態にあると判定し、これを用いてプロテクトを解除する。一方、解除鍵が記憶されていない場合は、詳細データ２２０を閲覧可能な状態ではないと判定する。以後の動作は、実施の形態１と同様である。
【００８９】
さらに、プレゼンテーションが終了して、情報端末３７０ａの利用者がプレゼンテーション室Ａ３１０から退出するときは、センサ部４１０が情報端末３７０ａがプレゼンテーション室Ａ３１０から退室したことを検出すると、入室時と同様、入出力管理ゲートＡ４００と情報端末３７０ａとの間で通信が行われ、制御部Ｃ４６０は情報端末３７０ａ内の解除鍵を削除する削除要求コマンドを出力する。このコマンドを受けた情報端末３７０ａにおいては、制御部Ｂ１３７がデータメモリＢ１３２内の解除鍵を削除する。解除鍵がないとデータメモリＢ１３２内に記録されたコンテンツのプロテクトを解除することはできないため、利用者がプレゼンテーション室Ａ３１０から退出した時点で情報端末３７０ａ内の詳細データ２２０の閲覧は不可能になる。
【００９０】
次に、情報端末３７０ａの利用者がプレゼンテーション室Ａ３１０退出後に続いてプレゼンテーション室Ｂ３２０に入室した場合、上記入出力管理ゲートＡ４００の場合と同様に、入出力管理ゲートＢ５００のセンサ部４１０が、情報端末３７０ａがプレゼンテーション室Ａ３１０に入室したことを検出する。これに応じて解除鍵生成部４３０が解除鍵を生成し、生成された解除鍵が情報端末３７０ａに設定されることにより、情報端末３７０ａの閲覧許可判定部１３６は判定動作を行い、プロジェクター装置Ｂ３４０の詳細データ２２０のプロテクトを解除することができる。
【００９１】
以上のように、本実施の形態によれば、複数の部屋毎に異なるプレゼンテーションが行われている場合、個々のプレゼンテーション毎にコンテンツの秘匿性を設定できるため、特に大規模な展示会場等でのプレゼンテーションに有効である。
【００９２】
なお、上記の説明においては、本発明のエリア内外判定手段として、プレゼンテーション室Ａ３１０、Ｂ３２０の出入口にそれぞれ設けられた入出力管理ゲートＡ４００、Ｂ５００を用いたが、他に、プレゼンテーション室Ａ３１０、Ｂ３２０の床や壁にセンサを設け、これをエリア内外判定手段として、情報端末１３０がエリア内外のいずれかを判定するようにしてもよい。また、プレゼンテーション室Ａ３１０、Ｂ３２０にはエリア内外の判定を情報端末１３０側で行わせるようにしてもよい。
【００９３】
（実施の形態５）
次に、実施の形態５として、Ｓ１７の閲覧許可判定部１３６の判定動作の他の一例について説明を行う。
【００９４】
はじめに、閲覧許可判定部１３６は、Ｓ１６で詳細データ２２０をデータメモリＢ１３２に格納すると、タイマー１３５を起動させる。なお、Ｓ１６より前の各ステップおよび、次に述べるＳ１７より後の各ステップの動作は実施の形態１と同様である。
【００９５】
次にＳ１７にて閲覧許可判定部１３６は、タイマー１３５の計測時間を参照して、詳細データ２２０を取得して所定の時間が経過したかどうかを判断する。
【００９６】
所定の時間内であれば、閲覧許可判定部１３６は閲覧可能な状態にあると判定する。一方、所定の時間を経過した場合は、閲覧可能な状態ではないと判定する。なお、ここで所定の時間は、プロジェクター装置１２０の利用者がプレゼンテーションに要すると考える時間、または詳細データ２２０をプロジェクター装置１２０で表示させる時間等に基づき定めることが望ましい。要するに、プロジェクター装置１２０の動作が終了した後、長い間情報端末１３０が詳細データ２２０を閲覧可能な状態に置くことを避けられるように定められればよい。
【００９７】
これにより、プレゼンテーションの終了時間等、適切なタイミングにおいて、情報端末１３０のコンテンツを閲覧不能にして、情報の秘匿性を保持することができる。
【００９８】
なお、閲覧許可判定部１３６は、閲覧可能な状態でないと判定した場合は、制御部Ｂ１３７を制御させ、データメモリＢ１３２内のコンテンツを消去するようにしてもよい。コンテンツの消去により詳細データ２２０の秘匿性を万全なものとすることができる。
【００９９】
本実施の形態は、実施の形態４と組み合わせて用いてもよい。すなわち、実施の形態４において、万が一情報端末３７０ａの利用者が入出力管理ゲートＡ４００を通過することなくプレゼンテーション室Ａ３１０から退出できた場合は、上記の動作において生成された解除鍵は削除されることなく情報端末３７０ａ内に残ることになるが、この場合は、タイマー１３５の時間計測に基づき、解除鍵の有無に関わらず、プロテクトが解除できないようにする。
【０１００】
（実施の形態６）
図９は本発明の実施の形態６の情報端末の構成図である。図９において、図３と同一部または相当部には同一符号を付し、詳細な説明は省略する。図に示すように、本実施の形態の情報端末は、各部の構成は図３に示すものと同一であるが、コンテンツ／コマンド分離部Ｂ１３４、タイマー１３５および閲覧許可判定部１３６は、他の部分を収納した本体部６００とは別筐体に内蔵され、プロテクト解除部７００を構成している点において異なる。
【０１０１】
ここで図１０（ａ）（ｂ）に本実施の形態の情報端末の外形を模式的に示す。
【０１０２】
図１０（ａ）において、本体部６００は表示部１３１の一部である表示画面６１０、ユーザの制御部Ｂ１３７への各種制御入力を受け付けるボタン、ポインティングデバイス等で実現される入力用インタフェース６２０、送受信部Ｂ１３３の一部であるアンテナ６３０を備えている。一方、プロテクト解除部７００は本体部６００と脱着可能な構成を有する。図１０（ａ）には本体部６００と分離した状態、図１０（ｂ）には本体部６００と一体化した状態を示す。なお、図１０（ａ）においてコネクタ部７１０は、本体部６００の図示しないデータインタフェース部分と接続して、プロテクト解除部７００のコンテンツ／コマンド分離部Ｂ１３４、閲覧許可判定部１３６、タイマー１３５と、本体部６００の制御部Ｂ１３７および送受信部Ｂ１３３とをそれぞれ接続して回路を形成するための手段である。なお、本体部６００のインタフェースとしてはＵＳＢコネクタなど周知のものを用いればよい。
【０１０３】
以上のような構成としたことにより、本体部６００には既存のＰＤＡや携帯電話を利用し、これにプロテクト解除部７００を組み合わせて実施の形態１〜５のプロジェクターシステムにて利用可能な情報端末を得ることができる。プロテクト解除部７００だけを製造することにより情報端末が得られるため、低コストでシステムを構築できるという効果がある。
【０１０４】
なお、上記の説明においては、プロテクト解除部７００は、コンテンツ／コマンド分離部Ｂ１３４、タイマー１３５および閲覧許可判定部１３６から構成されるものとして説明を行ったが、データメモリＢ１３２の全部または一部を含む構成であってもよい。この場合、本体部６００は大きなメモリ容量を必要とせず、そのような小メモリを搭載したＰＤＡ等を利用することができる。また、本体部６００の制御部Ｂ１３７の能力が低い場合は、これを補うためにその一部を含むようにしてもよい。また、送受信部Ｂ１３３を含む構成であってもよい。この場合、本体部６００として、通信機能を持たないＰＤＡ等を利用して情報端末を得ることができる。さらに、タイマー１３５を省いた構成としてもよい。この場合、タイマー１３５が必要でない場合や、または本体部６００がタイマーを有する場合に、それを利用することで情報端末を構成することができる。
【０１０５】
なお、上記の各実施の形態においては、コンテンツはアウトラインデータ２１０と詳細データ２２０の２種類のデータから構成されるものとしたが、コンテンツ全てが詳細データ、すなわちプロテクトがかけられたデータとしてもよい。
【０１０６】
また、上記の各実施の形態においては、コンテンツの使用の一例として閲覧、すなわちコンテンツの再生を説明し、プロテクトによって詳細データの閲覧の可能、不能を制御するものとしたが、本発明のコンテンツの使用の他の形態としては、コンテンツの加工、改変等が挙げられ、プロテクトによってこれら使用の他の形態の可能、不能を制御するようにしてもよい。
【０１０７】
また、上記の各実施の形態においては、コンテンツは画像データであるとして説明を行ったが、コンテンツは、動画像データ、テキストデータもしくは音声データ、またはこれらデータの全部または一部の組み合わせにより実現してもよい。
【０１０８】
また、上記の各実施の形態においては、コンテンツの詳細データはプロテクトがかけられたデータとして説明を行ったが、本発明は、プロテクトがかけられていないコンテンツを対象として、端末におけるその使用を不能とする構成として実現してもよい。この場合、各実施の形態の閲覧許可判定部１３６は、本発明の使用不能化手段として、コンテンツを一時的に暗号化する機能を持たせるようにする。
【０１０９】
また、上記の各実施の形態においては、本発明の親機器はプロジェクター装置１２０として説明を行ったが、従来例のように、コンテンツの表示を行う機器と、コンテンツを内蔵、配信する機器とは別構成であってもよい。この場合、親機器はコンテンツを内蔵、配信する機器に相当する。
【０１１０】
なお、本発明にかかるプログラムは、上述した本発明のコンテンツ秘匿方法の全部または一部の工程の動作をコンピュータにより実行させるためのプログラムであって、コンピュータと協働して動作するプログラムであってもよい。
【０１１１】
また、本発明は、上述した本発明のコンテンツ秘匿方法の全部または一部の工程の全部または一部の動作をコンピュータにより実行させるためのプログラムを担持した記録媒体であり、コンピュータにより読み取り可能且つ、読み取られた前記プログラムが前記コンピュータと協働して前記動作を実行する記録媒体であってもよい。
【０１１２】
なお、本発明の上記「一部の工程」とは、それらの複数の工程の内の、幾つかの工程を意味し、あるいは、一つの工程の内の、一部の動作を意味するものである。
【０１１３】
また、本発明のプログラムを記録した、コンピュータに読みとり可能な記録媒体も本発明に含まれる。
【０１１４】
また、本発明のプログラムの一利用形態は、コンピュータにより読み取り可能な記録媒体に記録され、コンピュータと協働して動作する態様であっても良い。
【０１１５】
また、本発明のプログラムの一利用形態は、伝送媒体中を伝送し、コンピュータにより読みとられ、コンピュータと協働して動作する態様であっても良い。
【０１１６】
また、記録媒体としては、ＲＯＭ等が含まれ、伝送媒体としては、インターネット等の伝送機構、光・電波・音波等が含まれる。
【０１１７】
また、上述した本発明のコンピュータは、ＣＰＵ等の純然たるハードウェアに限らず、ファームウェアや、ＯＳ、更に周辺機器を含むものであっても良い。
【０１１８】
なお、以上説明した様に、本発明の構成は、ソフトウェア的に実現しても良いし、ハードウェア的に実現しても良い。
【産業上の利用可能性】
【０１１９】
本発明にかかるコンテンツ秘匿システム、端末、コンテンツ秘匿方法は、端末に記憶されたコンテンツの内容が外部に漏洩することを防ぐことができる効果を有し、プレゼンテーション等に用いられるコンテンツを秘匿するためのコンテンツ秘匿システム、端末、コンテンツ秘匿方法等として有用である。
【図面の簡単な説明】
【０１２０】
【図１】本発明の実施の形態１〜３、５のプロジェクターシステムの模式的構成図である。
【図２】本発明の実施の形態１〜３、５のプロジェクター装置の構成図である。
【図３】本発明の実施の形態１〜３、５の情報端末の構成図である。
【図４】本発明の実施の形態１〜６のプロジェクターシステムにおけるコンテンツの構成図である。
【図５】本発明の実施の形態１〜３、５のプロジェクターシステムの動作を説明するためのフローチャートを示す図である。
【図６】（ａ）〜（ｆ）、（ア）〜（カ）本発明の実施の形態１において、情報端末がコンテンツ閲覧可能な状態にある場合と、閲覧不可能である場合との比較例を示す図である。
【図７】本発明の実施の形態４のプロジェクターシステムの模式的構成図である。
【図８】本発明の実施の形態４のプロジェクターシステムにおける入出力管理ゲートの構成図である。
【図９】本発明の実施の形態６の情報端末の構成図である。
【図１０】（ａ）、（ｂ）本実施の形態の情報端末の外形を模式的に示す図である。
【図１１】従来の技術におけるプロジェクターシステムの模式的構成図である。
【符号の説明】
【０１２１】
１００  プロジェクターシステム
１２０  プロジェクター装置
１２１  データメモリＡ
１２２  送受信部Ａ
１２３  表示データ投影部
１２４  コンテンツ／コマンド分離部Ａ
１２５  電源
１２６  コンテンツ配信部
１２７  制御部Ａ
１３０、１３０ａ〜１３０ｄ  情報端末
１３１  表示部
１３１ａ〜１３１ｄ  小型スクリーン
１３２  データメモリＢ
１３３  送受信部Ｂ
１３４  コンテンツ／コマンド分離部Ｂ
１３５  タイマー
１３６  閲覧許可判定部
１３７  制御部Ｂ
【図１】
2008033455.tif 000003
【図２】
2008033455.tif 000004
【図３】
2008033455.tif 000005
【図４】
2008033455.tif 000006
【図５】
2008033455.tif 000007
【図７】
2008033455.tif 000008
【図８】
2008033455.tif 000009
【図９】
2008033455.tif 000010
【図１０】
2008033455.tif 000011
【図１１】
2008033455.tif 000012
【図６】
2008033455.tif 000013